(57)【要約】【課題】目地部から受ける圧力を吸収可能に所望の形状に容易に整形可能な可撓継手部材を提供する。【解決手段】コンクリート構造物（２、２）の間の目地部（３）を跨って配設される可撓性材からなる可撓継手部材（１）であって、両側にあってコンクリート構造物（２、２）に押し付けられる押し部（４）と、両側の押し部（４）の間にあって目地部（３）から受ける圧力を吸収可能に折り畳まれて配設される折り畳み部（５）と、を備え、折り畳み部（５）は、折り畳まれ易くなるように処理された折り畳み処理部（７）を有することを特徴とする。【選択図】図１
2015158047.tif 000002
【特許請求の範囲】
【請求項１】
コンクリート構造物の間の目地部を跨って配設される可撓性材からなる可撓継手部材であって、
両側にあって前記コンクリート構造物に押し付けられる押し部と、
両側の前記押し部の間にあって前記目地部から受ける圧力を吸収可能に折り畳まれて配設される折り畳み部と、
を備え、
前記折り畳み部は、折り畳まれ易くなるように処理された折り畳み処理部を有する
ことを特徴とする可撓継手部材。
【請求項２】
前記折り畳み処理部は、その隣接部よりも肉厚を薄く形成されている
ことを特徴とする請求項１に記載の可撓継手部材。
【請求項３】
前記折り畳み処理部は、その隣接部よりも折り畳まれ易くなるように化学処理されている
ことを特徴とする請求項１に記載の可撓継手部材。
【請求項４】
前記折り畳み部は、断面視において、折り畳まれて配設される状態で、底部が細くなるように両側部の各々がＳ字状と逆Ｓ字状に形成されている
ことを特徴とする請求項１に記載の可撓継手部材。
【請求項５】
前記折り畳み処理部は、前記側部のＳ字状と前記逆Ｓ字状の曲がり部に位置する
ことを特徴とする請求項４に記載の可撓継手部材。
【請求項６】
コンクリート構造物の間の目地部を跨って配設される可撓性材からなる可撓継手部材と、
前記可撓継手部材を前記コンクリート構造物に押し付け固定するための固定部と、
を備え、
前記可撓継手部材は、
両側にあって前記コンクリート構造物に押し付けられる押し部と、
両側の前記押し部の間にあって前記目地部から受ける圧力を吸収可能に折り畳まれて配設される折り畳み部と、
を備え、
前記折り畳み部は、折り畳まれ易くなるように処理された折り畳み処理部を有する
ことを特徴とするコンクリート構造物用伸縮継手。
【発明の詳細な説明】
【技術分野】
【０００１】
本発明はコンクリート構造物用伸縮継手に使用する可撓継手部材に係り、特にコンクリート構造物の間の目地部を跨って配設される可撓性材からなる可撓継手部材に関する。
【背景技術】
【０００２】
コンクリートで構築されるコンクリート構造物である水路や共同溝等の地中に構築される暗渠などのつなぎ部である目地部には、内外を止水することが行われる。この場合、両側のコンクリート構造物が不均一に沈下したりあるいは地震等の影響により、目地部を挟んだ両側のコンクリート構造物の間の間隔がずれたりするが、これらのずれを許容するように、コンクリート構造物用伸縮継手が採用されている。このようなコンクリート構造物用伸縮継手として、例えば特許文献１が知られている。コンクリート構造物用伸縮継手には、コンクリート構造物の間の目地部を跨って配設される可撓性材からなる可撓継手部材が使用されている。
【０００３】
一般的に、可撓継手部材は、両側にあって前記コンクリート構造物に押し付けられる押し部と、両側の押し部の間にあって目地部から受ける圧力を吸収可能に折り畳まれて配設される折り畳み部とを備えている。
【０００４】
通常、折り畳み部は例えば蛇腹状に折り曲げて形成されている。図６に蛇腹状に折り曲げて形成された折り畳み部２５とその上に配設されたカバーゴム２６を示す。目地部から受ける受ける圧力は折り畳み部２５が伸びることによって吸収される。受ける圧力は目地部の間隔が大きくなればそれだけより大きくなる。一定の幅の大きさの目地部に対して例えば蛇腹状の折り曲げ部を適用する場合において、より大きな圧力を吸収できるようにするためには、膨らんだ可撓継手部材がより大きい空間を形成する必要があり、蛇腹の折り曲げ数を一定にして折り曲げ高さを高くするか、折り曲げ高さを一定にして蛇腹の折り曲げ数を多くし、これによって折り畳み部の実質的長さを大きくすることが考えられる。
【先行技術文献】
【特許文献】
【０００５】
【特許文献１】特開２０１０−１５０８０７号公報
【発明の開示】
【発明が解決しようとする課題】
【０００６】
しかしながら、蛇腹の折り曲げ数を一定にして折り曲げ高さを高くする場合には、蛇腹の山の高さが高くなり、蛇腹状の折り曲げ部を整形する型装置を大きくする必要があり型装置が高価になるという問題がある。また、折り曲げ高さを一定にして蛇腹の折り曲げ数を多くする場合には、蛇腹の折り曲げ間隔が短くなり可撓性材を直角的に鋭く折り曲げることになり、可撓性材を安全に折り曲げ整形することができないという問題があった。いずれにしても、可撓継手部材を蛇腹状の折り曲げ部を有するようにすることには限界があった。
【０００７】
そこで、本願発明は上記従来技術の有する問題を解消し、目地部から受ける圧力を吸収可能に所望の形状に容易に整形可能な可撓継手部材を提供することである。
【課題を解決するための手段】
【０００８】
上記課題を解決するために、本願発明に係る可撓継手部材は、コンクリート構造物の間の目地部を跨って配設される可撓性材からなる可撓継手部材であって、両側にあって前記コンクリート構造物に押し付けられる押し部と、両側の前記押し部の間にあって前記目地部から受ける圧力を吸収可能に折り畳まれて配設される折り畳み部と、を備え、前記折り畳み部は、折り畳まれ易くなるように処理された折り畳み処理部を有することを特徴とする。
【０００９】
また、前記折り畳み処理部は、その隣接部よりも肉厚を薄く形成されていることを特徴とする。
【００１０】
また、前記折り畳み処理部は、その隣接部よりも折り畳まれ易くなるように化学処理されていることを特徴とする。
【００１１】
また、前記折り畳み部は、断面視において、折り畳まれて配設される状態で、底部が細くなるように両側部の各々がＳ字状と逆Ｓ字状に形成されていることを特徴とする。
【００１２】
また、前記折り畳み処理部は、前記側部のＳ字状と前記逆Ｓ字状の曲がり部に位置することを特徴とする。
【００１３】
また、本願発明に係るコンクリート構造物用伸縮継手は、コンクリート構造物の間の目地部を跨って配設される可撓性材からなる可撓継手部材と、前記可撓継手部材を前記コンクリート構造物に押し付け固定するための固定部と、を備え、前記可撓継手部材は、両側にあって前記コンクリート構造物に押し付けられる押し部と、両側の前記押し部の間にあって前記目地部から受ける圧力を吸収可能に折り畳まれて配設される折り畳み部と、を備え、前記折り畳み部は、折り畳まれ易くなるように処理された折り畳み処理部を有することを特徴とする。
【発明の効果】
【００１４】
本願発明の構成によれば、可撓継手部材は折り畳まれ易くなるように処理された折り畳み処理部を有するので、折り畳み処理部で折り曲げることにより、目地部から受ける圧力を吸収可能に所望の形状に容易に整形することが可能になる。
【図面の簡単な説明】
【００１５】
【図１】本願発明に係る可撓継手部材の一実施形態を示す工場出荷時の形状を示す断面図。
【図２】可撓継手部材を現場で設置するために折り畳んだ状態の形状を示す図。
【図３】可撓継手部材を現場で設置した後に目地部からの圧力を受けて膨らんだ状態の形状を示す図。
【図４】本願発明に係る可撓継手部材をコンクリート構造物用伸縮継手に適用した例を示す図。
【図５】図４に対応するコンクリート構造物用伸縮継手を示す平面図。
【図６】従来の折り畳み部を示す図。
【発明を実施するための最良の形態】
【００１６】
図１乃至図４を参照して、本願発明に係る可撓継手部材の一実施形態について説明する。
図１は、コンクリート構造物２、２の間の目地部３に配設される前であって工場から出荷時の可撓継手部材１を示す断面図である。可撓継手部材１は、止水可能にゴム材等の可撓部材で形成されており、両側にあってコンクリート構造物２、２に押し付けられるブロック状の押し部４、４と、両側の押し部４、４の間にあって目地部３から受ける圧力を吸収可能に折り畳まれて配設される薄板状の折り畳み部５を備えている。
【００１７】
折り畳み部５は、折り畳まれ易くなるように処理された複数の折り畳み処理部７を有する。折り畳み部５は、中央側の２個の折り畳み処理部７ａと外側の２個の折り畳み処理部７ｂとを有する。本実施の形態では、折り畳み処理部７はその隣接部よりも肉厚を薄く形成されるように処理されている。例えば、隣接部の肉厚が８ｍｍであるのに対し、折り畳み処理部７の肉厚は６ｍｍである。折り畳み処理部７の各々は１０ｍｍから２０ｍｍの長さ範囲に渡って処理されている。隣接する折り畳み処理部７ａと折り畳み処理部７ｂとの間隔は約３０ｍｍであり、一方の折り畳み処理部７ａと他方の折り畳み処理部７ａとの間隔は約１３ｍｍである。可撓継手部材１は押し部４から押し部４までの長さは例えば約４５０ｍｍである。
【００１８】
図２は、コンクリート構造物２、２の間の目地部３に配設するために、折り畳まれた状態にある可撓継手部材１を示す断面図である。可撓継手部材１は中心線９に対し左右対称に形成されている。図２に示す折り畳まれて配設される状態で、断面視において、可撓継手部材１の底部５ｃが上部に比べて細くなるように左側部はＳ字状部５ａに形成され、右側部は逆Ｓ字状部５ｂに形成されている。頂部５ｄはほぼ平坦に形成されている。Ｓ字状部５ａの上部の折れ部に折り畳み処理部７ａが位置し、下部の折れ部に折り畳み処理部７ｂが位置する。同様に、逆Ｓ字状部５ｂの上部の折れ部に折り畳み処理部７ａが位置し、下部の折れ部に折り畳み処理部７ｂが位置する。可撓継手部材１は、両側にＳ字状部５ａと逆Ｓ字状部５ｂが形成され、底部５ｃと頂部５ｄに対して重なるように大きくくびれている。
【００１９】
図２に示す可撓継手部材１は、複数回に渡って蛇腹状に繰り返し折り返されているものとは異なり、目地部３を跨がる折返し部は一つに単純化されており、また、折り畳み処理部７が形成されているのでいるので折り畳み処理部７で簡易に折り曲げることができ、型装置を使用する必要がなく効率的に容易に折り曲げることが可能になる。
【００２０】
図３は、図２に示す可撓継手部材１をコンクリート構造物２、２の間の目地部３に配設し、その後に、目地部３から受ける圧力によって折り畳まれた状態から膨らんだ状態に変化した可撓継手部材１を示す。
【００２１】
図２に示す可撓継手部材１の折返し部が一つに単純化されているにもかかわらず、両側にＳ字状部５ａと逆Ｓ字状部５ｂが形成され、底部５ｃと頂部５ｄに対して重なるように大きくくびれているので、図３に示すように、膨らんだ状態の可撓継手部材１は、両側の押し部４、４の間の間隔を直径とする半円の円周部と両側の直線状部からなる圧力を吸収可能な広い空間を形成することができる。
【００２２】
次に、本願発明の可撓継手部材１の第２の実施の形態について説明する。
本実施の形態においては、折り畳み処理部７はその隣接部よりも折り畳まれ易くなるように化学処理されている。化学処理としては、折り畳み処理部７が隣接部に比べてより大きなゴム状の弾性を有するようにする化学処理がある。また、折り畳み処理部７を例えばスポンジ状にしてより低密度化を図るようにしてもよい。また、化学処理としては、折り畳み処理部７が隣接部に比べてより容易に変形しやすいように化学処理するために、折り畳み処理部７に油等を付与してもよい。また、折り畳み処理部７を、その隣接部とは別材料で形成しその隣接部と一体的に合成するようにしてもよい。
【００２３】
次に、図４及び図５を参照して、上述の可撓継手部材１をコンクリート構造物用伸縮継手に適用した例について説明する。
コンクリート構造物用伸縮継手２０は、コンクリート構造物２、２の間の目地部３を跨って配設される可撓性材からなる可撓継手部材１と、可撓継手部材１をコンクリート構造物２、２に押し付け固定するための複数の固定部９とを備えている。
【００２４】
可撓継手部材１は、両側にあってコンクリート構造物２に押し付けられる押し部４と、両側の押し部４の間にあって目地部３から受ける圧力を吸収可能に折り畳まれて配設される折り畳み部５と、を備え、折り畳み部５は、折り畳まれ易くなるように処理された折り畳み処理部７を有する。
【００２５】
固定部９は、押し部４に長手方向に渡って被せられる断面コの字状の当接部６と、押し部４に被せられた当接部６を、当接部６の長手方向に間隔を置いて複数箇所にコンクリート構造物２、２に押し付け固定するための複数の固定ユニット１０とを備えている。
【００２６】
固定ユニット１０は、断面変形コの字状の当接部６に被せられる当圧部１１と、押し部４、４に被せられた当接部６に当圧部１１を被せた状態で当圧部１１をコンクリート構造物２に押し取り付け押し部４をコンクリート構造物２に押し付けるためのボルト１２とナット１３とからなるアンカーボルトナット１４とを有する。ボルト１２はコンクリート構造物２に打ち込められ、ナット１３は当圧部１１の上に置かれたワッシャ１８を介してボルト１２の頂部側からボルト１２に締め付けられる。
【００２７】
押し部４に被せられた当接部６は、断面視においてボルト１２に対し目地部３の側に位置し、図４において、右側の当接部６は右側のボルト１２に対し目地部３の側に位置し、左の当接部６は左側のボルト１２に対し目地部３の側に位置する。
【００２８】
押し部４の下面には、突出する突起４ａが形成されている。押し部４がコンクリート構造物２の面２ａに押し付けられることによって突起４ａが圧縮変形され、シール性がより確実になる。
【００２９】
可撓継手部材１の上側にカバーゴム１９が被せられ、カバーゴム１９の端部１９ａは押し部４と当接部６との間に巻かれている。
【００３０】
図５はコンクリート構造物用伸縮継手２０を示す平面図である。図５に示されるように、複数の固定ユニット１０が間隔を置いて当接部６の長手方向に配設され、押し部４に被せられた当接部６をアンカーボルトナット１４によってコンクリート構造物４に押し付け固定する。
【００３１】
目地部３から圧力を受けると、カバーゴム１９が伸びるとともに、可撓継手部材１は図３に示すような膨張した状態になり圧力を吸収可能な広い空間を形成する。
【００３２】
本実施の形態によれば、可撓継手部材１は折り畳まれ易くなるように処理された折り畳み処理部を有するので、型装置に頼らずに折り畳み処理部で折り曲げることにより、効率的に簡易にコンクリート構造物用伸縮継手２０を組立ることが可能になる。
【符号の説明】
【００３３】
１  可撓継手部材
２  コンクリート構造物
３  目地部
４  押し部
５  折り畳み部
６  当接部
７  折り畳み処理部
５ａ  Ｓ字状部
５ｂ  逆Ｓ字状部
１０  固定ユニット
１１  当圧部
１２  ボルト
１３  ナット
１４  アンカーボルトナット
１９  カバーゴム
２０  コンクリート構造物用伸縮継手
【図１】
2015158047.tif 000003
【図２】
2015158047.tif 000004
【図３】
2015158047.tif 000005
【図４】
2015158047.tif 000006
【図５】
2015158047.tif 000007
【図６】
2015158047.tif 000008